(57)【要約】ａ×ｂ種類の色票を含む色票群の中から、被験者が可視化すべきイメージに対応するｓ種類の色票をそれぞれの寄与率ｐｓを含めて選択する第１の段階；  色票群を構成する色票に第１の段階で選択された寄与率ｐｓに対応する値を付与することにより、被験者の表現図を作成する第２の段階；  ｎ人の被験者が同じイメージに対して第１の段階および第２の段階を行い、各被験者の表現図に含まれる寄与率に対応する値を合計する第３の段階を経てイメージに対応する色表現図を作成し；  色票群がａ種類の色の第１の系統およびｂ種類の色の第２の系統を含み；  色票群が第１の系統の順に第１の方向に配列され、第２の系統の順に第２の方向に配列された部分を含む；イメージを色で表現する方法は、被験者の負担が少なく、再現性が高く、他人と直観的に共有できるようにイメージを可視化できる。
2018207595.tif 000002
【特許請求の範囲】
【請求項１】
少なくともａ×ｂ種類の色票を含む色票群の中から、被験者が可視化すべきイメージに対応するｓ種類（ａ≧２、ｂ≧２、ｓ≧２）の色票をそれぞれの寄与率ｐｓを含めて選択する第１の段階；
前記色票群を構成するそれぞれの前記色票に前記第１の段階で選択された前記寄与率ｐｓに対応する値を付与することにより、前記被験者の表現図を作成する第２の段階；および
ｎ人（ｎ≧１）の被験者が同じ前記イメージに対して前記第１の段階および前記第２の段階を行い、各被験者の前記表現図に含まれる前記寄与率に対応する値を合計する第３の段階を経て前記イメージに対応する色表現図を作成し；
前記色票群がａ種類の色の第１の系統およびｂ種類の色の第２の系統を含み；
前記色票群が前記第１の系統の順に第１の方向に配列され、かつ、前記第２の系統の順に第２の方向に配列された部分を含む；
イメージを色で表現する方法。
【請求項２】
前記イメージが、前記被験者が嗅いだ香りのイメージである、請求項１に記載のイメージを色で表現する方法。
【請求項３】
前記イメージが、前記被験者が見た文字のイメージである、請求項１に記載のイメージを色で表現する方法。
【請求項４】
前記イメージが、前記被験者が見た人物のイメージである、請求項１に記載のイメージを色で表現する方法。
【請求項５】
前記第１の系統がａ種類の色相である、請求項１〜４のいずれか一項に記載のイメージを色で表現する方法。
【請求項６】
前記第２の系統がｂ種類のトーンであり、
前記トーンが明度および彩度から決定される、請求項１〜５のいずれか一項に記載のイメージを色で表現する方法。
【請求項７】
前記色票群が、さらにｃ種類の色の質感に関する第３の系統を有するａ×ｂ＋ｃ（ａ≧２、ｂ≧２、ｃ≧１）種類の色票群である、請求項１〜６のいずれか一項に記載のイメージを色で表現する方法。
【請求項８】
前記第３の系統がｃ＝２の金属色であり、
前記金属色が金色および銀色である、請求項７に記載のイメージを色で表現する方法。
【請求項９】
前記色表現図が、
横軸を前記色票群のａ種類の前記第１の系統を少なくとも含む範囲とし、
縦軸を
（Ａ１）前記寄与率に対応する値の合計、または、
（Ａ２）前記寄与率に対応する値の合計を比率に変換した値を、
前記第１の系統の種類ごとにさらに合計した値としたグラフである、請求項１〜８のいずれか一項に記載のイメージを色で表現する方法。
【請求項１０】
前記色表現図が、前記色票群と同様の配列で各色が配列された色配列表であり；
前記色配列表の各色に対応する部分が色パレットを含み；
（Ｂ１）前記色パレットが、各色の前記寄与率に対応する値の合計または各色の前記寄与率に対応する値の合計を比率に変換した値を用いて表現される、または、
（Ｂ２）前記色パレットが、各色の前記寄与率に対応する値の合計を比率に変換し、比率の所定の範囲ごとに規格化して決定された段数を有する；
請求項１〜８のいずれか一項に記載のイメージを色で表現する方法。
【請求項１１】
前記色表現図が、前記色票群の前記第１の系統の種類ａに対応する辺を有するａ角形以上の多角形状のコア部を有する花弁図であって、
前記多角形の前記第１の系統の種類ａに対応する各辺にほぼ平行な方向に、前記第１の系統に属するすべての色の色パレットが配列されており；
前記各色パレットの段が、前記コア部の内部からの放射線の延長線上に向けて積まれて配列されており；
各色の前記色パレットの段数が、各色の前記寄与率に対応する値の合計を比率に変換し、比率の所定の範囲ごとに規格化して決定された段数である；
請求項１〜８のいずれか一項に記載のイメージを色で表現する方法。
【請求項１２】
前記コア部が、前記色票群の前記第１の系統の種類ａおよび前記第３の系統の種類ｃに対応する辺を有するａ＋ｃ角形の多角形状のコア部を有する花弁図である、請求項１１に記載のイメージを色で表現する方法。
【請求項１３】
前記色パレットの形状が３角形以上の多角形状または円形状である、請求項１０〜１２のいずれか一項に記載のイメージを色で表現する方法。
【請求項１４】
少なくともａ×ｂ種類の色票を含む色票群の中から、被験者が可視化すべきイメージに対応するｓ種類（ａ≧２、ｂ≧２、ｓ≧２）の色票をそれぞれの寄与率ｐｓを含めて選択する第１の段階；、
前記色票群を構成するそれぞれの前記色票に前記第１の段階で選択された前記寄与率ｐｓに対応する値を付与することにより、前記被験者の表現図を作成する第２の段階；および
ｎ人（ｎ≧１）の被験者が同じ前記イメージに対して前記第１の段階および前記第２の段階を行い、各被験者の前記表現図に含まれる前記寄与率に対応する値を合計する第３の段階を経て作成される前記イメージに対応する色表現図であって；
前記色票群がａ種類の色の第１の系統およびｂ種類の色の第２の系統を含み；
前記色票群が前記第１の系統の順に第１の方向に配列され、かつ、前記第２の系統の順に第２の方向に配列された２次元配列部分を含む；
色表現図。
【請求項１５】
前記色表現図が、
横軸を前記色票群のａ種類の前記第１の系統とし、
縦軸を
（Ａ１）前記寄与率に対応する値の合計、または、
（Ａ２）前記寄与率に対応する値の合計を比率に変換した値を、
前記第１の系統の種類ごとにさらに合計した値としたグラフである、請求項１４に記載の色表現図。
【請求項１６】
前記色表現図が、前記色票群と同様の配列で各色が配列された色配列表であり；
前記色配列表の各色に対応する部分が、色パレットを含み；
（Ｂ１）前記色パレットが、各色の前記寄与率に対応する値の合計または各色の前記寄与率に対応する値の合計を比率に変換した値を用いて表現される、または、
（Ｂ２）前記色パレットが、各色の前記寄与率に対応する値の合計を比率に変換し、比率の所定の範囲ごとに規格化して決定された段数を有する；
請求項１４に記載の色表現図。
【請求項１７】
前記色表現図が、前記色票群の前記第１の系統の種類ａに対応する辺を有するａ角形以上の多角形状のコア部を有する花弁図であって、
前記多角形の前記第１の系統の種類ａに対応する各辺にほぼ平行な方向に、前記第１の系統に属するすべての色の色パレットが配列されており；
前記各色パレットの段が、前記コア部の内部からの放射線の延長線上に向けて積まれて配列されており；
各色の前記色パレットの段数が、各色の前記寄与率に対応する値の合計を比率に変換し、比率の所定の範囲ごとに規格化して決定された段数である；
請求項１４に記載の色表現図。
【請求項１８】
前記コア部が、前記色票群の前記第１の系統の種類ａおよび前記第３の系統の種類ｃに対応する辺を有するａ＋ｃ角形の多角形状のコア部を有する花弁図である、請求項１７に記載の色表現図。
【請求項１９】
前記色パレットの形状が３角形以上の多角形状または円形状である、請求項１６〜１８のいずれか一項に記載の色表現図。
【請求項２０】
ａ角形（ａ≧２）以上の多角形状のコア部を有する花弁図であって、
前記多角形の各辺にほぼ平行な方向に、色パレットが配列されており；
前記各色パレットの段が、前記コア部の内部からの放射線の延長線上に向けて積まれて配列されている；
色表現図。
【請求項２１】
請求項１４〜１９のいずれか一項に記載の色表現図と、
前記可視化すべき香りの、セット。
【請求項２２】
請求項２１に記載のセットに含まれる前記香りを嗅いだ評価者が、前記香りを変更したいイメージを前記色表現図に含まれる色を用いて表現する第４の段階を含む、香りの表現方法。
【請求項２３】
新しい可視化すべき香りを調合してする第５の段階；
前記新しい可視化すべき香りを請求項１〜１３のいずれか一項に記載のイメージを色で表現する方法の前記色表現図で表現する第６の段階；および
請求項２２に記載の香りの表現方法を用いて前記評価者が表現した前記香りを変更したいイメージの色表現図と、前記第６の段階で表現された色表現図との間の類似性を確認する第７の段階を含む；
調香方法。
【請求項２４】
請求項１４〜１９のいずれか一項に記載の前記色表現図に含まれる色に対応させて、前記可視化すべき香りを奏するフレグランス、前記可視化すべき香りを奏するフレーバーを添加した賦香品、あるいは、前記フレグランスまたは賦香品の包装の色を決定する、色の決定方法。
【請求項２５】
少なくとも２種類の請求項１４〜２０のいずれか一項に記載の色表現図の間の類似性を確認する段階を含む、イメージの類似性の評価方法。
【請求項２６】
前記色表現図が、前記色票群と同様の配列で各色が配列された色配列表であり；
前記色配列表の各色に対応する部分が色パレットを含む場合に；
前記色表現図の間の類似性を、
（Ｃ１）前記色パレットの表現する各色の前記寄与率に対応する値の合計または各色の前記寄与率に対応する値の合計を比率に変換した値を用いた相関係数またはパターン類似率、または、
（Ｃ２）前記色パレットの各色の前記寄与率に対応する値の合計を比率に変換し、比率の所定の範囲ごとに規格化して決定された段数を用いた相関係数またはパターン類似率
に基づいて判断する、請求項２５に記載のイメージの類似性の評価方法。
【発明の詳細な説明】
【技術分野】
【０００１】
本発明は、イメージを色で表現する方法、色表現図、セット、香りの表現方法、調香方法、色の決定方法およびイメージの類似性の評価方法に関する。
【背景技術】
【０００２】
香り、文字および人物等のイメージは、人間の生活の中で大きな役割を占めており、例えば、飲食品、嗜好品および化粧品では、これらのイメージが品質判断の大きな要素の一つとなっている。【０００３】
しかしながら、これらのイメージ、特に香りのイメージを他の人間に正確に伝えて他人とイメージを共有することは非常に難しいのが実情であった。例えば、香りを表現する方法として文字（または言語）を使用する方法が一般的ではあるが、文字の意味解釈の違いや、その文字から連想するイメージの違いにより、香りのイメージが正確に共有できなかった。香りのイメージが正確に共有できない結果、特に飲食品、嗜好品および化粧品等の商品開発担当者の間で、香りの変更をする場合などに大きな問題となっていた。【０００４】
特許文献１には、複数の被験者が、可視化すべき香りに対応するイメージの色彩を選択し、各被験者が選択した各色彩を同じ面積の１または複数の色要素単位として選択し、被検者が選択した色要素単位全てに基づいて、明度値の平均値を求め、この値で香りの量的特徴を表現することを特徴とする香りの量的特徴の数値化方法が記載されている。特許文献１の［００１４］では「複数の被験者で香りのイメージに対応する色彩を選択することにより、異なる複数の色で表現される」とあり、１人の被験者では色彩の選択が１種類であることを前提としており、さらに［００１８］では「１の色票を選択」と限定されている。
特許文献２でも特許文献１と類似の方法が提案されているが、特許文献２の［００１５］では「複数の被験者で香りのイメージに対応する色彩を選択することにより、異なる複数の色で表現される」とあり、１人の被験者では色彩の選択が１種類であることを前提としている。【０００５】
非特許文献１には、色相とトーンの２次元で表現される１８種類の色から実験協力者に香りに調和する色を複数色選択させて色と香りの調和性を検討している。非特許文献１では、具体的には被験者が３種類の色票を選択することが記載されている。
【先行技術文献】
【特許文献】
【０００６】
【特許文献１】特開２００８−２２５２３８号公報
【特許文献２】特許２００７−４７５０３号公報
【非特許文献】
【０００７】
【非特許文献１】Ｊ．Ｊａｐａｎ  Ａｓｓｏｃｉａｔｉｏｎ  ｏｎ  Ｏｄｏｒ  Ｅｎｖｉｒｏｎｍｅｎｔ，Ｖｏｌ．４２，Ｎｏ．５２（２０１１）
【発明の概要】
【発明が解決しようとする課題】
【０００８】
特許文献１および２に記載の方法は、多数の色票をそのまま扱っており、色相、彩度および明度の特徴が体系的ではないため、客観的に高い再現性でイメージを伝達および共有することは容易ではなかった。また、香りに対応する色票を１種類しか選択しない方法であったため、被験者の主観（ピンクが強いが、少し黒のイメージも混じっている、といった悩み）に起因する負担があった。
非特許文献１に記載の方法は、３種類の色票を選択するものの、選択した色の寄与率は考慮しない方法であったため、被験者の主観（ほとんどピンクで、少し黒、３色目は感じないがあえて挙げるならば緑、といった悩み。１色をよりよく表現するために混色して表現しようとする被験者もいる）に起因する負担があった。
また、特許文献１および２ならびに非特許文献１に記載の方法は、選択した色票を他人と直観的に共有できるようにイメージを可視化するための手段を提供しておらず、香りイメージを直観的に共有できない方法であった。【０００９】
本発明が解決しようとする課題は、被験者の負担が少なく、再現性が高く、他人と直観的に共有できるようにイメージを可視化できる、イメージを色で表現する方法を提供することである。
また、本発明が解決しようとする課題は、再現性が高く、他人と直観的に共有できるようにイメージを可視化できる色表現図を提供することである。
さらに、本発明が解決しようとする課題は、この色表現図と可視化すべき香りのセット、このセットを用いた香りの表現方法および調香方法、ならびに、この色表現図を用いた色の決定方法およびイメージの類似性の評価方法を提供することである。
【課題を解決するための手段】
【００１０】
本発明者らは、上記の課題を解決するために鋭意研究を行った結果、第１の系統および第２の系統を少なくとも含む系統的に配置された色票群の中から、被験者が可視化すべきイメージに合致する色票を２色以上選択し、選択した色の寄与率も回答することにより、被験者の負担が少なく、再現性が高く、他人と直観的に共有できるようにイメージを可視化できることを見出し、本発明を完成するに至った。【００１１】
上記課題を解決するための具体的な手段である本発明およびその好ましい態様は以下のとおりである。
［１］  少なくともａ×ｂ種類の色票を含む色票群の中から、被験者が可視化すべきイメージに対応するｓ種類（ａ≧２、ｂ≧２、ｓ≧２）の色票をそれぞれの寄与率ｐｓを含めて選択する第１の段階；
色票群を構成するそれぞれの色票に第１の段階で選択された寄与率ｐｓに対応する値を付与することにより、被験者の表現図を作成する第２の段階；および
ｎ人（ｎ≧１）の被験者が同じイメージに対して第１の段階および第２の段階を行い、各被験者の表現図に含まれる寄与率に対応する値を合計する第３の段階を経てイメージに対応する色表現図を作成し；
色票群がａ種類の色の第１の系統およびｂ種類の色の第２の系統を含み；
色票群が第１の系統の順に第１の方向に配列され、かつ、第２の系統の順に第２の方向に配列された部分を含む；
イメージを色で表現する方法。
［２］  イメージが、被験者が嗅いだ香りのイメージである［１］に記載のイメージを色で表現する方法。
［３］  イメージが、被験者が見た文字のイメージである［１］に記載のイメージを色で表現する方法。
［４］  イメージが、被験者が見た人物のイメージである［１］に記載のイメージを色で表現する方法。
［５］  第１の系統がａ種類の色相である［１］〜［４］のいずれか一つに記載のイメージを色で表現する方法。
［６］  第２の系統がｂ種類のトーンであり、
トーンが明度および彩度から決定される［１］〜［５］のいずれか一つに記載のイメージを色で表現する方法。
［７］  色票群が、さらにｃ種類の色の質感に関する第３の系統を有するａ×ｂ＋ｃ（ａ≧２、ｂ≧２、ｃ≧１）種類の色票群である［１］〜［６］のいずれか一つに記載のイメージを色で表現する方法。
［８］  第３の系統がｃ＝２の金属色であり、
金属色が金色および銀色である［７］に記載のイメージを色で表現する方法。
［９］  色表現図が、
横軸を色票群のａ種類の第１の系統を少なくとも含む範囲とし、
縦軸を
（Ａ１）寄与率に対応する値の合計、または、
（Ａ２）寄与率に対応する値の合計を比率に変換した値を、
第１の系統の種類ごとにさらに合計した値としたグラフである［１］〜［８］のいずれか一つに記載のイメージを色で表現する方法。
［１０］  色表現図が、色票群と同様の配列で各色が配列された色配列表であり；
色配列表の各色に対応する部分が色パレットを含み；
（Ｂ１）色パレットが、各色の寄与率に対応する値の合計または各色の寄与率に対応する値の合計を比率に変換した値を用いて表現される、または、
（Ｂ２）色パレットが、各色の寄与率に対応する値の合計を比率に変換し、比率の所定の範囲ごとに規格化して決定された段数を有する；
［１］〜［８］のいずれか一つに記載のイメージを色で表現する方法。
［１１］  色表現図が、色票群の第１の系統の種類ａに対応する辺を有するａ角形以上の多角形状のコア部を有する花弁図であって、
多角形の第１の系統の種類ａに対応する各辺にほぼ平行な方向に、第１の系統に属するすべての色の色パレットが配列されており；
各色パレットの段が、コア部の内部からの放射線の延長線上に向けて積まれて配列されており；
各色の色パレットの段数が、各色の寄与率に対応する値の合計を比率に変換し、比率の所定の範囲ごとに規格化して決定された段数である；
［１］〜［８］のいずれか一つに記載のイメージを色で表現する方法。
［１２］  コア部が、色票群の第１の系統の種類ａおよび第３の系統の種類ｃに対応する辺を有するａ＋ｃ角形の多角形状のコア部を有する花弁図である［１１］に記載のイメージを色で表現する方法。
［１３］  色パレットの形状が３角形以上の多角形状または円形状である［１０］〜［１２］のいずれか一つに記載のイメージを色で表現する方法。
［１４］  少なくともａ×ｂ種類の色票を含む色票群の中から、被験者が可視化すべきイメージに対応するｓ種類（ａ≧２、ｂ≧２、ｓ≧２）の色票をそれぞれの寄与率ｐｓを含めて選択する第１の段階；、
色票群を構成するそれぞれの色票に第１の段階で選択された寄与率ｐｓに対応する値を付与することにより、被験者の表現図を作成する第２の段階；および
ｎ人（ｎ≧１）の被験者が同じイメージに対して第１の段階および第２の段階を行い、各被験者の表現図に含まれる寄与率に対応する値を合計する第３の段階を経て作成されるイメージに対応する色表現図であって；
色票群がａ種類の色の第１の系統およびｂ種類の色の第２の系統を含み；
色票群が第１の系統の順に第１の方向に配列され、かつ、第２の系統の順に第２の方向に配列された２次元配列部分を含む；
色表現図。
［１５］  色表現図が、
横軸を色票群のａ種類の第１の系統とし、
縦軸を
（Ａ１）寄与率に対応する値の合計、または、
（Ａ２）寄与率に対応する値の合計を比率に変換した値を、
第１の系統の種類ごとにさらに合計した値としたグラフである、［１４］に記載の色表現図。
［１６］  色表現図が、色票群と同様の配列で各色が配列された色配列表であり；
色配列表の各色に対応する部分が、色パレットを含み；
（Ｂ１）色パレットが、各色の寄与率に対応する値の合計または各色の寄与率に対応する値の合計を比率に変換した値を用いて表現される、または、
（Ｂ２）色パレットが、各色の寄与率に対応する値の合計を比率に変換し、比率の所定の範囲ごとに規格化して決定された段数を有する；
［１４］に記載の色表現図。
［１７］  色表現図が、色票群の第１の系統の種類ａに対応する辺を有するａ角形以上の多角形状のコア部を有する花弁図であって、
多角形の第１の系統の種類ａに対応する各辺にほぼ平行な方向に、第１の系統に属するすべての色の色パレットが配列されており；
各色パレットの段が、コア部の内部からの放射線の延長線上に向けて積まれて配列されており；
各色の色パレットの段数が、各色の寄与率に対応する値の合計を比率に変換し、比率の所定の範囲ごとに規格化して決定された段数である；
［１４］に記載の色表現図。
［１８］  コア部が、色票群の第１の系統の種類ａおよび第３の系統の種類ｃに対応する辺を有するａ＋ｃ角形の多角形状のコア部を有する花弁図である［１７］に記載の色表現図。
［１９］  色パレットの形状が３角形以上の多角形状または円形状である［１６］〜［１８］のいずれか一つに記載の色表現図。
［２０］  ａ角形（ａ≧２）以上の多角形状のコア部を有する花弁図であって、
多角形の各辺にほぼ平行な方向に、色パレットが配列されており；
各色パレットの段が、コア部の内部からの放射線の延長線上に向けて積まれて配列されている；
色表現図。
［２１］  ［１４］〜［１９］のいずれか一つに記載の色表現図と、
可視化すべき香りの、セット。
［２２］  ［２１］に記載のセットに含まれる香りを嗅いだ評価者が、香りを変更したいイメージを色表現図に含まれる色を用いて表現する第４の段階を含む、香りの表現方法。
［２３］  新しい可視化すべき香りを調合してする第５の段階；
新しい可視化すべき香りを［１］〜［１３］のいずれか一つに記載のイメージを色で表現する方法の色表現図で表現する第６の段階；および
［２２］に記載の香りの表現方法を用いて評価者が表現した香りを変更したいイメージの色表現図と、第６の段階で表現された色表現図との間の類似性を確認する第７の段階を含む；
調香方法。
［２４］  ［１４］〜［１９］のいずれか一つに記載の色表現図に含まれる色に対応させて、可視化すべき香りを奏するフレグランス、可視化すべき香りを奏するフレーバーを添加した賦香品、あるいは、フレグランスまたは賦香品の包装の色を決定する、色の決定方法。
［２５］  少なくとも２種類の［１４］〜［２０］のいずれか一つに記載の色表現図の間の類似性を確認する段階を含む、イメージの類似性の評価方法。
［２６］  色表現図が、色票群と同様の配列で各色が配列された色配列表であり；
色配列表の各色に対応する部分が色パレットを含む場合に；
色表現図の間の類似性を、
（Ｃ１）色パレットの表現する各色の寄与率に対応する値の合計または各色の寄与率に対応する値の合計を比率に変換した値を用いた相関係数またはパターン類似率、または、
（Ｃ２）色パレットの各色の寄与率に対応する値の合計を比率に変換し、比率の所定の範囲ごとに規格化して決定された段数を用いた相関係数またはパターン類似率
に基づいて判断する［２５］に記載のイメージの類似性の評価方法。
【発明の効果】
【００１２】
本発明によれば、被験者の負担が少なく、再現性が高く、他人と直観的に共有できるようにイメージを可視化できる、イメージを色で表現する方法を提供することができる。
また、本発明によれば、再現性が高く、他人と直観的に共有できるようにイメージを可視化できる色表現図を提供することができる。
さらに、本発明によれば、この色表現図と可視化すべき香りのセット、このセットを用いた香りの表現方法および調香方法、ならびに、この色表現図を用いた色の決定方法およびイメージの類似性の評価方法を提供することができる。
【図面の簡単な説明】
【００１３】
【図１】図１は、本発明のイメージを色で表現する方法に用いられる色票群の一例の写真である。
【図２】図２は、色票群の第１の系統を少なくとも含む範囲と、寄与率に対応する値の合計を比率に変換した値を第１の系統の種類ごとにさらに合計した値との関係を示したグラフの一例である。
【図３】図３は、色票群の第１の系統を少なくとも含む範囲と、寄与率に対応する値の合計を比率に変換した値を第１の系統の種類ごとにさらに合計した値との関係を示したグラフの他の一例である。
【図４】図４は、色票群と同様の配列で各色が配列された色配列表である色表現図の一例である。
【図５】図５は、実施例１で作成した、５種類の香水に関する花弁図である色表現図の例である。
【図６】図６は、実施例１〜３で被験者の人数が異なる場合の対比のために作成した、５種類の香水に関する花弁図である色表現図の例である。
【図７】図７は、実施例４で作成した、「華やかな」との文字に関する花弁図である色表現図の一例である。
【図８】図８は、実施例４および参考例１で被験者が選択する色票および寄与率が異なる場合の対比のために作成した、文字に関する花弁図である色表現図の例である。
【図９】図９は、実施例４および参考例１で被験者が選択する色票および寄与率が異なる場合の対比のために作成した、文字に関する花弁図である色表現図の他の例である。
【図１０】図１０は、実施例４および参考例１で被験者が選択する色票および寄与率が異なる場合の対比のために作成した、文字に関する花弁図である色表現図の他の例である。
【図１１】図１１は、実施例４および参考例１で被験者が選択する色票および寄与率が異なる場合の対比のために作成した、文字に関する花弁図である色表現図の他の例である。
【図１２】図１２は、実施例４および参考例１で被験者が選択する色票および寄与率が異なる場合の対比のために作成した、文字に関する花弁図である色表現図の他の例である。
【図１３】図１３は、実施例４および参考例１で被験者が選択する色票および寄与率が異なる場合の対比のために作成した、文字に関する花弁図である色表現図の他の例である。
【図１４】図１４は、実施例４および参考例１で被験者が選択する色票および寄与率が異なる場合の対比のために作成した、文字に関する花弁図である色表現図の他の例である。
【図１５】図１５は、実施例４および参考例１で被験者が選択する色票および寄与率が異なる場合の対比のために作成した、文字に関する花弁図である色表現図の他の例である。
【図１６】図１６は、実施例５で検討した、文字に関する花弁図である色表現図どうしのパターン類似率の結果の概略図である。
【図１７】図１７は、実施例６で検討した、Ｊ’ＡＤＯＲＥの香りに関する花弁図である色表現図の一例に対し、パターン類似率が高い上位５語の文字に関する花弁図である色表現図を示した概略図の例である。
【図１８】図１８は、実施例６で検討した、ＣＨＡＮＥＬ  Ｎｏ．５の香りに関する花弁図である色表現図の一例に対し、パターン類似率が高い上位５語の文字に関する花弁図である色表現図を示した概略図の例である。
【図１９】図１９は、実施例６で検討した、ＬＩＧＨＴ  ＢＬＵＥの香りに関する花弁図である色表現図の一例に対し、パターン類似率が高い上位５語の文字に関する花弁図である色表現図を示した概略図の例である。
【図２０】図２０は、実施例６で検討した、ＣＯＣＯ  ｍａｄｅｍｏｉｓｅｌｌｅの香りに関する花弁図である色表現図の一例に対し、パターン類似率が高い上位５語の文字に関する花弁図である色表現図を示した概略図の例である。
【図２１】図２１は、実施例６で検討した、ＡＮＧＥＬの香りに関する花弁図である色表現図の一例に対し、パターン類似率が高い上位５語の文字に関する花弁図である色表現図を示した概略図の例である。
【図２２】図２２は、実施例７で作成した、人物に関する花弁図である色表現図の例である。
【図２３】図２３（Ａ）は、選択された比率に応じた大きさを有する長方形の色パレットが、多角形状のコア部の内部からの放射線の延長線上に向けて積まれた配列された花弁図の一例である。図２３（Ｂ）は、選択された比率に応じた面積の円形の色パレットが、円形状のコア部の内部からの放射線の延長線上に向けて配列された花弁図の一例である。図２３（Ｃ）は、選択された比率に応じた面積の円形の色パレットが、ランダムに配置された花弁図の一例である。
【図２４】図２４（Ａ）は、横軸をＪ’ＡＤＯＲＥ、縦軸をＣＨＡＮＥＬ  Ｎｏ．５にして各色票の番号の寄与率の合計の値で作成した散布図である。図２４（Ｂ）は、横軸をＪ’ＡＤＯＲＥ、縦軸をＣＯＣＯ  ｍａｄｅｍｏｉｓｅｌｌｅにして各色票の番号の寄与率の合計の値で作成した散布図である。
【図２５】図２５は、「気分があがりそう」、「陽気な」、「華やかな」および「健康的な」の文字のイメージに関する花弁図である色表現図である。
【図２６】図２６は、実施例１で作成した、各色票の選択比率を規格化せずに可視化した色表現図の例である。
【発明を実施するための形態】
【００１４】
以下において、本発明について詳細に説明する。以下に記載する構成要件の説明は、代表的な実施形態や具体例に基づいてなされることがあるが、本発明はそのような実施形態に限定されるものではない。なお、本明細書において「〜」を用いて表される数値範囲は「〜」前後に記載される数値を下限値および上限値として含む範囲を意味する。
【００１５】
［イメージを色で表現する方法］
本発明のイメージを色で表現する方法は、少なくともａ×ｂ種類の色票を含む色票群の中から、被験者が可視化すべきイメージに対応するｓ種類（ａ≧２、ｂ≧２、ｓ≧２）の色票をそれぞれの寄与率ｐｓを含めて選択する第１の段階；
色票群を構成するそれぞれの色票に第１の段階で選択された寄与率ｐｓに対応する値を付与することにより、被験者の表現図を作成する第２の段階；および
ｎ人（ｎ≧１）の被験者が同じイメージに対して第１の段階および第２の段階を行い、各被験者の表現図に含まれる寄与率に対応する値を合計する第３の段階を経てイメージに対応する色表現図を作成し；
色票群がａ種類の色の第１の系統およびｂ種類の色の第２の系統を含み；
色票群が第１の系統の順に第１の方向に配列され、かつ、第２の系統の順に第２の方向に配列された部分を含む。
この構成により、本発明によれば、被験者の負担が少なく、再現性が高く、他人と直観的に共有できるようにイメージを可視化できる。
色表現図の情報は、伝達、管理および保存が容易な情報であるため、ｅ−メールなどを使って短時間で伝達することができ、またデータとしてパソコン上にストックできる。また、香り等のイメージの特徴を、言葉を使わず、色表現図で表現するので、評価者（被験者以外の人間）によるバラつきが少なく、再現性が高い、客観的データとして得られる。
被験者が２種類以上の色票を寄与率を含めて選択するため、被験者の人数が少ない場合であっても、香りのイメージの可視化を再現性が高く、他人と直観的に共有できるようにイメージを可視化できる（被験者の人数が多くより客観的である場合とのパターン類似率が高くなる）。
また、被験者の主観（ピンクが強いが、少し黒のイメージも混じっている、といった悩み）を寄与率で反映できる。
【００１６】
本明細書中、１人の被験者の表現図（の寄与率に対応する値）を、ｎ人分合計したものを「色表現図」とする。
本発明のイメージを色で表現する方法で作成する色表現図の好ましい範囲は、後述の本発明の色表現図の説明で後述する。
以下、本発明の好ましい態様について説明する。
【００１７】
＜第１の段階＞
第１の段階では、少なくともａ×ｂ種類の色票を含む色票群の中から、被験者が可視化すべきイメージに対応するｓ種類（ａ≧２、ｂ≧２、ｓ≧２）の色票をそれぞれの寄与率ｐｓを含めて選択する。
【００１８】
（イメージ）
可視化すべきイメージの種類としては、制限はない。例えば、香り、文字、人物（ある人物の氏名、写真、実物など）、音、触感、味およびそれらの統合されたイメージ（香りと味など）などを挙げることができる。文字としては、特に限定はない。日本語で用いられる平仮名、片仮名、漢字、アルファベットなどの文字や、外国語で用いられる文字（例えばハングルなど）を挙げることができる。人物の氏名についても同様に特に限定はなく、日本語で用いられる文字で記載された人物の氏名であっても、外国語で用いられる文字で記載された人物の氏名であってもよい。
本発明では、可視化するイメージが、被験者が嗅いだ香りのイメージ、被験者が見た文字のイメージおよび被験者が見た人物のイメージのうち少なくとも１種類であることが好ましい。
【００１９】
（色票群）
色票群は、少なくともａ×ｂ種類の色票を含む。
具体的には、色票群がａ種類の色の第１の系統およびｂ種類の色の第２の系統を含む。
また、色票群が第１の系統の順に第１の方向に配列され、かつ、第２の系統の順に第２の方向に配列された部分を含む。
【００２０】
本発明では、第１の系統がａ種類の色相であることが好ましい。ａは２〜１００であることが好ましく、３〜１０であることがより好ましく、５〜７であることが特に好ましい。
本発明では、第２の系統がｂ種類のトーンであり、トーンが明度および彩度から決定されることが好ましい。ｂは２〜１００であることが好ましく、３〜１０であることがより好ましく、４〜６であることが特に好ましい。
色相およびトーンは、公知の表色系から選択することができる。例えば、一般財団法人日本色彩研究所が開発したＰＣＣＳ（日本色研配色体系：Ｐｒａｃｔｉｃａｌ  Ｃｏｌｏｒ  Ｃｏ−ｏｒｄｉｎａｔｅ  Ｓｙｓｔｅｍ）と呼ばれる色彩調和を主な目的とした表色系、「ＪＩＳ  Ｚ８７２１  色の表示方法−三属性による表示」に基づいて作成した標準色票や、マンセル国際標準色票の他、市販されている色票、カラーチャートを用いてもよい。これらの中でも、色相およびトーンは、ＰＣＣＳから選択することが好ましい。ＰＣＣＳ表色系の色相としては、赤、橙、黄、緑、青および紫などを挙げることができる。ＰＣＣＳ表色系のトーンとしては、ペール、ライト、ビビッド、ディープおよびダークなどを挙げることができる。
また、色票群の第１の系統と第２の系統は、形式的に決めればよく、必要に応じて第１の系統と第２の系統を互いに入れ換えて解釈してもよい。
【００２１】
本発明では、色票群が、さらにｃ種類の色の質感に関する第３の系統を有するａ×ｂ＋ｃ（ａ≧２、ｂ≧２、ｃ≧１）種類の色票群であることが好ましい。ｃは１〜１００であることが好ましく、２〜２０であることがより好ましく、６〜１０であることが特に好ましい。
色の質感に関する第３の系統としては、無彩色、金属色（光沢）および模様（色ムラ）などを挙げることができる。これらの中でも、無彩色および金属色のうち少なくとも一方を採用することが、被験者の可視化すべきイメージに合致する色の主観に合致する可能性を高められる観点から、好ましい。本発明では、第３の系統がｃ＝２の金属色であり、金属色が金色および銀色であることがより好ましい。さらに無彩色および金属色の両方を採用することが特に好ましい。
無彩色としては、白色、灰色および黒色を挙げることができる。灰色として、濃度が異なる２種類以上の灰色を用いてもよい。無彩色は１〜１０種類であることが好ましく、２〜９種類であることがより好ましく、４〜８種類であることが特に好ましい。
金属色としては、金色および銀色、ならびに、その他の公知の金属色を挙げることができる。金属色は１〜５種類であることが好ましく、２または３種類であることがより好ましく、２種類であることが特に好ましい。
模様（色ムラ）としては特に制限はなく、例えば、マット状、マーブル状などを挙げることができる。
【００２２】
第１の方向および第２の方向は、特定の始点からの直線方向に限定されず、任意の曲線状であってもよい。すなわち、色票を二次元配列ではなく、歪んで配列させてもよい。ただし、少なくともａ×ｂ種類の色票を二次元配列することが、被験者の負担が少なく、再現性が高くなる観点から、より好ましい。すべての色票を二次元配列することが、被験者の負担が少なく、再現性が高くなる観点から、特に好ましい。
【００２３】
（色票）
被験者が選択する色票はｓ種類（ｓ≧２）である。ｓは２〜２０であることが好ましく、２または３であることがより好ましく、２であることが特に好ましい。
被験者はｓ種類の色票を選択する際にそれぞれの寄与率ｐｓを含めて選択する。寄与率ｐｓは割合または百分率などで表すことができる。また、選択するｓ種類の色票の寄与率の合計が１（＝１００％）未満であってもよい。例えばｓ種類の色票の寄与率の合計が０．８（＝８０％）、その他の色０．２（＝２０％）としても解析は可能である。
好ましくは寄与率の合計は１（＝１００％）である。
【００２４】
＜第２の段階＞
第２の段階では、色票群を構成するそれぞれの色票に第１の段階で選択された寄与率ｐｓに対応する値を付与することにより、被験者の表現図を作成する。
被験者の表現図を作成する方法としては、公知のピボットテーブルによる解析などを用いることができる。
得られた１人の被験者の表現図では、すべての色票に付与された寄与率の合計は好ましくは１（＝１００％）である。
【００２５】
＜第３の段階＞
第３の段階では、ｎ人（ｎ≧１）の被験者が同じイメージに対して第１の段階および第２の段階を行い、各被験者の表現図に含まれる寄与率に対応する値を合計する。ｎは２〜１０００であることが好ましく、５〜１００であることがより好ましく、１０〜５０であることが特に好ましく、１０〜２０であることがより特に好ましい。ｎが２以上であると、複数人の被験者で可視化すべきイメージに対応する色票を選択することにより、表現される色票の種類が増える可能性が生じ、そのイメージに対し、多くの人が平均的に合致すると判断する色票を多く包含させられる。ｎが１０以上であることが、より香りのイメージの可視化を再現性が高く、他人と直観的に共有できるようにイメージを可視化できる観点から、特に好ましい。
得られたｎ人の被験者の表現図を合計した色表現図では、すべての色票に付与された寄与率の合計はｎ（＝ｎ×１００％）である。
【００２６】
［色表現図］
本発明の色表現図は、少なくともａ×ｂ種類の色票を含む色票群の中から、被験者が可視化すべきイメージに対応するｓ種類（ｓ≧２）の色票をそれぞれの寄与率ｐｓを含めて選択する第１の段階；、
色票群を構成するそれぞれの色票に第１の段階で選択された寄与率ｐｓに対応する値を付与することにより、被験者の表現図を作成する第２の段階；および
ｎ人（ｎ≧１）の被験者が同じイメージに対して第１の段階および第２の段階を行い、各被験者の表現図に含まれる寄与率に対応する値を合計する第３の段階を経て作成されるイメージに対応する色表現図であって；
色票群がａ種類の色の第１の系統およびｂ種類の色の第２の系統を含み；
色票群が第１の系統の順に第１の方向に配列され、かつ、第２の系統の順に第２の方向に配列された２次元配列部分を含む。
第１の段階、第２の段階および第３の段階ならびに色票群の好ましい態様は、本発明のイメージを色で表現する方法におけるそれらの好ましい態様と同様である。
【００２７】
本発明の色表現図の好ましい態様として、後述の第１の態様、第２の態様および第３の態様を挙げることができ、また、その他の態様であってもよい。
本発明の色表現図は、本発明のイメージを色で表現する方法で作成されるものである。本発明の色表現図は、イメージを色で表現する方法の統計処理を反映したものであるため、当該色表現図をその構造又は特性により直接特定することが不可能であるという事情がある。
一方、本発明の色表現図の第３の態様の形状自体も新規である。そのため、本発明の色表現図の第３の態様から、統計処理部分を除いた形状に関する色表現図（本発明の色表現図の第４の態様とも言う）は、色表現図をその物の製造方法で規定していない場合に該当する。
以下、本発明の色表現図の好ましい態様である第１の態様、第２の態様および第３の態様、ならびに、別の態様である第４の態様およびその他の態様について説明する。
【００２８】
＜第１の態様＞
本発明の色表現図の第１の態様は、横軸を色票群のａ種類の第１の系統とし、
縦軸を
（Ａ１）寄与率に対応する値の合計、または、
（Ａ２）寄与率に対応する値の合計を比率に変換した値を、
第１の系統の種類ごとにさらに合計した値としたグラフである。
【００２９】
本発明の色表現図の第１の態様において、横軸を色票群のａ種類の第１の系統とするが、横軸にさらに任意の他の系統を加えてもよい。例えば、横軸をａ種類の第１の系統およびｃ種類の第３の系統としてもよい。
【００３０】
ここで、本発明のイメージを色で表現する方法で作成された色表現図は、第３の段階で得られたｎ人の被験者の表現図を合計した色表現図では、すべての色票に付与された寄与率の合計はｎ（＝ｎ×１００％）である。
本発明の色表現図の第１の態様において、縦軸を（Ａ１）寄与率に対応する値の合計を、第１の系統の種類ごとにさらに合計した値とする場合、このｎ（＝ｎ×１００％）の値を合計値として用いる。
本発明の色表現図の第１の態様において、縦軸を（Ａ２）寄与率に対応する値の合計を比率に変換した値を、第１の系統の種類ごとにさらに合計した値とする場合、このｎ（＝ｎ×１００％）の値をｎで割った値、すなわち１（＝１００％）を合計値として用いる。図２に、色票群のａ種類の第１の系統を色相とした場合における、（Ａ２）に関するグラフを示した。図２は、色票群の第１の系統を少なくとも含む範囲と、寄与率に対応する値の合計を比率に変換した値を第１の系統の種類ごとにさらに合計した値との関係を示したグラフの一例である。図２の横軸は、第１の系統として６種類の色相およびさらに５種類の第３の系統である。図２の縦軸に関し、例えば横軸が赤系の棒グラフの高さは、赤の色相の色票の寄与率に対応する値の合計を比率に変換した値を、５種類のトーン（ペール、ライト、ビビッド、ディープおよびダーク）それぞれの赤の色相の色票の寄与率に対応する値の合計を比率に変換した値を、さらに５種類のトーンすべてについて合計した値を意味する。そして、横軸の１１種類について、それぞれの横軸に対応する棒グラフの高さを合計すると、１（＝１００％）となる。
また、図３に示したように、横軸に、第１の系統として５種類のトーンおよびさらに２種類の第３の系統をとり、色表現図を作成してもよい。
【００３１】
＜第２の態様＞
本発明の色表現図の第２の態様は、色票群と同様の配列で各色が配列された色配列表であり；
色配列表の各色に対応する部分が、色パレットを含み；
（Ｂ１）色パレットが、各色の寄与率に対応する値の合計または各色の寄与率に対応する値の合計を比率に変換した値を用いて表現される、または、
（Ｂ２）色パレットが、各色の寄与率に対応する値の合計を比率に変換し、比率の所定の範囲ごとに規格化して決定された段数を有する。
【００３２】
色表現図の第２の態様は、この中でも、（Ｂ２）色パレットが、各色の寄与率に対応する値の合計を比率に変換し、比率の所定の範囲ごとに規格化して決定された段数を有する態様が好ましい。色パレットの段数によって寄与率の多さ（得票率）を表現することにより、より他人と直観的に共有できるようにイメージを可視化できる。
【００３３】
色表現図の第２の態様における色票群と同様の配列で各色が配列された色配列表の好ましい態様は、本発明のイメージを色で表現する方法の色票群の好ましい態様と同様である。例えば、図１に示した色票群において、各色票に対応する位置に（Ｂ１）で求められる値に対応する色パレットを表現するか、（Ｂ２）で決定された段数の色パレットを表現する。
色表現図の第２の態様では、色パレットの形状が３角形以上の多角形状または円形状であることが好ましい。色表現図の第２の態様では、色パレットの形状は、３角形以上の多角形状であることがより好ましく、四角形状であることが特に好ましい。
【００３４】
ここで、本発明のイメージを色で表現する方法で作成された色表現図は、第３の段階で得られたｎ人の被験者の表現図を合計した色表現図では、すべての色票に付与された寄与率の合計はｎ（＝ｎ×１００％）である。
本発明の色表現図の第２の態様において、（Ｂ１）色パレットが、各色の寄与率に対応する値の合計または各色の寄与率に対応する値の合計を比率に変換した値を用いて表現される場合、このｎ（＝ｎ×１００％）の値をｎで割った値、すなわち１（＝１００％）を合計値として用いる。すなわち、各色票に付与された値の合計は１（＝１００％）となる。
本発明の色表現図の第２の態様において、（Ｂ２）色パレットが、各色の寄与率に対応する値の合計を比率に変換し、比率の所定の範囲ごとに規格化して決定された段数を有する場合、各色票に付与された値を規格化する。規格化する際の基準は特に制限はない。例えば、３％ごとに１段としてもよく、５％ごとに１段としてもよく、１０％ごとに１段としてもよい。さらに色表現図の特徴を先鋭化する目的で、ある閾値以下の比率しか得られなかった色に対しては色表現図におけるパレットを与えなくてもよい。図４に、（Ｂ２）色パレットが、各色の寄与率に対応する値の合計を比率に変換し、比率の所定の範囲ごとに規格化して決定された段数を有する場合の色配列表を示した。図４は、色票群と同様の配列で各色が配列された色配列表である色表現図の一例である。図４では、５％ごとに１段の色パレットで表されている。
【００３５】
＜第３の態様＞
本発明の色表現図の第３の態様は、色票群の第１の系統の種類ａに対応する辺を有するａ角形以上の多角形状のコア部を有する花弁図であって、
多角形の第１の系統の種類ａに対応する各辺にほぼ平行な方向に、第１の系統に属するすべての色の色パレットが配列されており；
各色パレットの段が、コア部の内部からの放射線の延長線上に向けて積まれて配列されており；
各色の色パレットの段数が、各色の寄与率に対応する値の合計を比率に変換し、比率の所定の範囲ごとに規格化して決定された段数である。
【００３６】
花弁図とは、コア部および色パレットを有し、色パレットがコア部の周囲に配列されていることを意味し、色表現図の形状をわかりやすくする目的で形式的に使用した表現である。「花弁」との記載は、本発明の色表現図の形状を何ら限定するものではない。
各辺にほぼ平行な方向に色パレットが配列されるとは、色パレットが配列される場合に、色パレットが延長線上に配列されるコア部の内部からの放射線と、各辺とのなす角度がほぼ平行＋９０°（ほぼ垂直）であることを意味する。各辺にほぼ平行な方向は、その方向と各辺とのなす角が好ましくは±２０°、より好ましくは±１０°、特に好ましくは±５°、より特に好ましくは±１°である。
また、色パレットが四角形状である場合は、色パレットの１辺と、各辺とのなす角が好ましくは±２０°、より好ましくは±１０°、特に好ましくは±５°、より特に好ましくは±１°である。
【００３７】
色表現図の第３の態様では、コア部が、色票群の第１の系統の種類ａおよび第３の系統の種類ｃに対応する辺を有するａ＋ｃ角形の多角形状のコア部を有することが好ましい。
例えば、ａ＝６種類の色相であり、ｃ＝２種類の系統（金属色および無彩色）である場合を挙げることができる。
色表現図の第３の態様では、コア部の内部に空欄を設けることができる。また、コア部の内部に、色表現図の説明を記載してもよい。コア部の内部に記載する説明の例としては、可視化したイメージ（可視化した香りの匂い素材や、可視化した文字列など）を挙げることができる。また、コア部の内部に記載する説明の例として、被験者の人数を記載してもよい。色表現図の第３の態様では、コア部の内部に可視化したイメージを記載することが、より他人と直観的に共有できるようにイメージを可視化できる観点から好ましい。
【００３８】
色表現図の第３の態様では、色パレットの形状が３角形以上の多角形状または円形状であることが好ましい。色表現図の第３の態様では、色パレットの形状は、３角形以上の多角形状であることがより好ましく、四角形状であることが特に好ましい。
【００３９】
色表現図の第３の態様で用いられる色パレットの好ましい段数は、色表現図の第２の態様で用いられる色パレットの好ましい段数と同様である。
本発明の色表現図の第３の態様の好ましい一例を、図５に示した。図５は、選択された比率に応じた段数の長方形の色パレットが、多角形状のコア部の内部からの放射線の延長線上に向けて積まれた配列された花弁図の一例である。
本発明の色表現図の第３の態様の好ましい一例を、図２３（Ａ）に示した。図２３（Ａ）は、選択された比率に応じた大きさを有する（面積）長方形の色パレットが、多角形状のコア部の内部からの放射線の延長線上に向けて積まれた配列された花弁図の一例である。
【００４０】
＜第４の態様＞
本発明の色表現図の第４の態様は、ａ角形（ａ≧２）以上の多角形状のコア部を有する花弁図であって、
多角形の各辺にほぼ平行な方向に、色パレットが配列されており；
各色パレットの段が、コア部の内部からの放射線の延長線上に向けて積まれて配列されている；
色表現図である。
本発明の色表現図の第４の態様の好ましい範囲は、本発明の色表現図の第３の態様の好ましい範囲と同様である。
【００４１】
＜その他の態様＞
本発明の色表現図のその他の態様として、例えば、第３の態様の変形例である花弁図を挙げることができる。具体的には、図２３（Ｂ）および図２３（Ｃ）に挙げた花弁図が挙げられる。図２３（Ｂ）は、選択された比率に応じた面積の円形の色パレットが、円形状のコア部の内部からの放射線の延長線上に向けて配列された花弁図の一例である。図２３（Ｃ）は、選択された比率に応じた面積の円形の色パレットが、ランダムに配置された花弁図の一例である。
また、その他の態様として、選択された色を規格化せずに、寄与率から計算した比率により表現したグラフを挙げることができる。例えば、各色票の選択比率を帯グラフ（１００％積み上げ横棒グラフなど）とし、色票と同じ色を帯グラフの各要素に付して、各色票の選択比率を規格化せずに可視化した色表現図を挙げることができる（図２６参照）。図２６では、帯グラフの各要素の幅が各色票の選択比率に対応し、帯グラフの各要素の色が選択した各色票に対応するため、各色票の選択比率を一目で理解することができる。
【００４２】
［セット］
本発明のセットは、本発明の色表現図と、可視化すべき香りの、セットである。
本発明の色表現図と、可視化すべき香りの、セットとすることにより、より他人と直観的に共有できるようにイメージを可視化できる。
香りのイメージを可視化して得られた色表現図と、可視化した香りのセットを提供することで、被験者以外の他人と香りのイメージを共有することができる。
なお、香り以外のイメージをセット化してもよい。すなわち、本発明の色表現図と、可視化すべき文字または人物のセットとしてもよい。
【００４３】
［香りの表現方法］
本発明の香りの表現方法は、本発明のセットに含まれる香りを嗅いだ評価者が、香りを変更したいイメージを色表現図に含まれる色を用いて表現する第４の段階を含む。
本発明のセットに含まれる香りを嗅いだ評価者（被験者以外の他人）が、香りを変更したいイメージを色表現図に含まれる色を用いて表現する香りの表現方法を行うことにより、評価者以外の他人と香りの変更したい方針のイメージを共有することができる。
評価者以外の他人としては、例えば、調香師などを挙げることができる。
【００４４】
＜第４の段階＞
第４の段階では、本発明のセットに含まれる香りを嗅いだ評価者が、香りを変更したいイメージを色表現図に含まれる色を用いて表現する。具体的な香りを変更したいイメージを色表現図に含まれる色を用いて表現する方法としては、色表現図に含まれる任意の色を１段階増加または減少したい等の表現ができる。さらに、評価者は、香りを変更したいイメージの色表現図を具体的に作成することが好ましい。
本発明のセットに含まれる香りを嗅いだ評価者が、香りを変更したいイメージを色表現図に含まれていない色を用いて表現したい場合は、色表現図に含まれず色票群に含まれる色を用いて表現することが好ましい。
第４の段階で用いられる色票群の好ましい態様は、本発明のイメージを色で表現する方法の第１の段階で用いられる色票群の好ましい態様と同様である。
なお、本発明のセットに含まれる香りを嗅いだ評価者が、香りを変更したいイメージを色以外の方法（例えば、言葉）でも表現したい場合は、さらに色以外の方法（例えば、言葉）でも表現してもよい。
【００４５】
［調香方法］
本発明の調香方法は、新しい可視化すべき香りを調合してする第５の段階；
新しい可視化すべき香りを本発明のイメージを色で表現する方法の色表現図で表現する第６の段階；および
本発明の香りの表現方法を用いて評価者が表現した香りを変更したいイメージの色表現図と、第６の段階で表現された色表現図との間の類似性を確認する第７の段階を含む。
特に、本発明の香りの表現方法である評価者が評価した後、評価者以外の他人は、新しい可視化すべき香りを調合し、新しい可視化すべき香りを色表現図で表現し、評価者が表現した香りを変更したいイメージの色表現図と、新しい可視化すべき香りの色表現図との間の類似性を確認することで、評価者が香りを変更したい方針のイメージに合致しやすい新しい香りを調香しやすくなる。
【００４６】
＜第５の段階＞
第５の段階としては特に制限は無く、公知の方法で新しい可視化すべき香りを調合できる。
【００４７】
＜第６の段階＞
第６の段階の好ましい態様は、本発明のイメージを色で表現する方法の好ましい態様と同様である。
【００４８】
＜第７の段階＞
第７の段階では、本発明の香りの表現方法を用いて評価者が表現した香りを変更したいイメージの色表現図と、第６の段階で表現された色表現図との間の類似性を確認する。
一般に、任意の色表現図と、他の色表現図との間の類似性を確認する方法としては特に制限は無い。例えば後述の本発明のイメージの類似性の評価方法を用いることができる。
本発明の香りの表現方法を用いて評価者が表現した香りを変更したいイメージの色表現図としては、例えば、本発明の香りの表現方法において、評価者が香りを変更したいイメージの色表現図を具体的に作成した場合はその色表現図を用いることができる。本発明の香りの表現方法において、評価者が香りを変更したいイメージの色表現図を具体的に作成しなかった場合は、本発明の調香方法を行う調香師が、評価者が香りを変更したいイメージの色表現図を作成してもよい。
【００４９】
［色の決定方法］
本発明の色の決定方法は、本発明の色表現図に含まれる色に対応させて、可視化すべき香りを奏するフレグランス、可視化すべき香りを奏するフレーバーを添加した賦香品、あるいは、フレグランスまたは賦香品の包装の色を決定する。
例えば、香りのイメージを可視化して得られた色を用いて、香粧品（香水、シャンプー、ボディーソープなど）や食品などの賦香品の包装の色を決定することができる。
【００５０】
［イメージの類似性の評価方法］
本発明のイメージの類似性の評価方法は、少なくとも２種類の本発明の色表現図の間の類似性を確認する段階を含む。
本発明のイメージの類似性の評価方法に用いられる色表現図は、同種類のイメージの色表現図であっても、異なる種類のイメージの色表現図であってもよい。
例えば、第１の匂い素材の香りイメージの色表現図と、第２の匂い素材の香りイメージの色表現図とを用いて、両者のイメージの類似性を評価することができる。第１の匂い素材を評価した後、評価者の希望に応じて第１の匂い素材から香りを微調整した第２の匂い素材を評価する場合に、微妙な香りの違いをイメージの類似性として表現することができる。
また、第１の匂い素材の香りイメージの色表現図と、香りに関する文字（言葉）イメージの色表現図とを用いて、両者のイメージの類似性を評価することができる。ここで、文字（言葉）のイメージも、人間によって様々である。本発明のイメージの類似性の評価方法では、香りのイメージを色表現図に変え、文字のイメージを色表現図に変え、同じ色表現図の状態で比較することにより、香りを文字（言葉）で直接表現するよりも、客観的に香りのイメージ文字（言葉）で表現することができる。この場合に用いられる文字または言葉としては、特に限定はない。平仮名、片仮名、漢字、アルファベットなどの文字を用いて日本語で表現してもよく、外国語で用いられる文字を用いて外国語で表現してもよい（例えばハングルを用いて韓国語で表現するなど）。
【００５１】
本発明のイメージの類似性の評価方法では、色表現図が、色票群と同様の配列で各色が配列された色配列表であり；
色配列表の各色に対応する部分が色パレットを含む場合に；
色表現図の間の類似性を、
（Ｃ１）色パレットの表現する各色の寄与率に対応する値の合計または各色の寄与率に対応する値の合計を比率に変換した値を用いた相関係数またはパターン類似率、または、
（Ｃ２）色パレットの各色の寄与率に対応する値の合計を比率に変換し、比率の所定の範囲ごとに規格化して決定された段数を用いた相関係数またはパターン類似率
に基づいて判断することが好ましい。
【００５２】
「色パレットの表現する各色の寄与率に対応する値の合計または各色の寄与率に対応する値の合計を比率に変換した値」がわかる場合は、色表現図の間の類似性を、「（Ｃ１）色パレットの表現する各色の寄与率に対応する値の合計または各色の寄与率に対応する値の合計を比率に変換した値を用いた相関係数またはパターン類似率」に基づいて判断することが好ましい。
一方、「色パレットの表現する各色の寄与率に対応する値の合計または各色の寄与率に対応する値の合計を比率に変換した値」がわからない場合は、色表現図の間の類似性を、「（Ｃ２）色パレットの各色の寄与率に対応する値の合計を比率に変換し、比率の所定の範囲ごとに規格化して決定された段数を用いた相関係数またはパターン類似率」に基づいて判断することが好ましい。この場合、「（Ｃ２）色パレットの各色の寄与率に対応する値の合計を比率に変換し、比率の所定の範囲ごとに規格化して決定された段数」から、「色パレットの表現する各色の寄与率に対応する値の合計または各色の寄与率に対応する値の合計を比率に変換した値」の範囲を逆算して、後述のパターン類似率の範囲を求めてもよい。
【００５３】
なお、色表現図が花弁図である場合も、「色パレットの表現する各色の寄与率に対応する値の合計または各色の寄与率に対応する値の合計を比率に変換した値」がわからない場合と同様に、花弁図の色パレットの段数から「色パレットの表現する各色の寄与率に対応する値の合計または各色の寄与率に対応する値の合計を比率に変換した値」の範囲を逆算して、後述のパターン類似率の範囲を求めてもよい。
【００５４】
相関係数については、公知の方法で求めることができる。例えば、色票ごとの寄与率の平均値および標準偏差を用いて、最小二乗法または表計算ソフトの関数により、相関係数Ｒ（またはＲ２）を求めることができる。色票ごとの寄与率の代わりに、色相ごとの寄与率の合計、トーンごとの寄与率の合計、色相ごとの寄与率およびトーンごとの寄与率の両方の合計を用いてもよい。相関係数Ｒは、１に近いほど類似していると評価できる。
パターン類似率は、例えば、「パターン類似率とその応用−食品研究におけるパターン解析−」，田村真八郎・鈴木忠直・松永隆司，  Ｎｉｐｐｏｎ  Ｓｈｏｋｕｈｉｎ  Ｋｏｇｙｏ  Ｇａｋｋａｉ  Ｖｏｌ．３２，  Ｎｏ．１１，  ８４７〜８５６（１９８５）に記載の以下の方法で求めることができる。
【００５５】
＜パターン類似率の測定方法＞
ｎ個の測定項目の数値からなる二つの数値群パターンＡ；（ａ１、ａ２、・・・、ａｎ）とパターンＢ；（ｂ１、ｂ２、・・・、ｂｎ）とが同一パターンであるということは、
ａ１：ａ２：・・・：ａｎ＝ｂ１：ｂ２：・・・：ｂｎ
を意味する。
したがって、数値群Ａと数値群ＢとをそれぞれＯを原点とするｎ次元空間の位置ベクトル
【数１】
2018207595.tif 000003
の成分表示と考えれば、ベクトル
【数２】
2018207595.tif 000004
とベクトル
【数３】
2018207595.tif 000005
との方向（向きも含める）が一致することは明らかである。
数値群パターンＡとＢとが一致する場合は、ベクトル
【数４】
2018207595.tif 000006
との方向が一致し，パターンの差異が大きくなれば
【数５】
2018207595.tif 000007
との作る角度θが大きくなると考えられる。よって、
【数６】
2018207595.tif 000008
の作る角度θ、またはその関数を用いて、パターンの類似性あるいは異質性を数値として計算することができる。パターン類似率は、ｃｏｓθで示される。
パターンＡ；（ａ１、ａ２、・・・、ａｎ）とパターンＢ；（ｂ１、ｂ２、・・・、ｂｎ）との間のパターン類似率をＳ（Ａ，Ｂ）と書くとする。ベクトルの内積の公式
【数７】
2018207595.tif 000009
から、
【数８】
2018207595.tif 000010
となる。
パターンが同一の場合はθ＝０となる。したがって、この場合のパターン類似率は、
Ｓ（Ａ，Ｂ）＝ＣＯＳ０°＝１となる。
また、ＡとＢとが共通の成分を全く含まない場合はθ＝９０°となる。したがって、この場合のパターン類似率は、
Ｓ（Ａ，Ｂ）＝ＣＯＳ９０°＝０となる。パターン類似率は１から０までの間の数値となり、パターンが類似しているほど１に近い数値、例えば０．９９９などとなり、直感的にわかりやすい。
【００５６】
本発明では、パターン類似率ｃｏｓθは、０．３を超え０．５以下であると少し似ていると判断でき、０．５を超え０．７１未満であると似ていると判断でき、０．７１以上であると非常に似ていると判断できる。
【実施例】
【００５７】
以下に実施例と比較例を挙げて本発明をさらに具体的に説明する。以下の実施例に示す材料、使用量、割合、処理内容、処理手順等は、本発明の趣旨を逸脱しない限り適宜変更することができる。従って、本発明の範囲は以下に示す具体例により限定的に解釈されるべきものではない。【００５８】
［実施例１］
＜香りのイメージの可視化＞
（香り）
匂い素材としてフランスおよびアメリカにおいて人気のある以下の５種類の香水を用い、それぞれの香りのイメージの可視化を行った。かっこ内に各香水の香調を示した。
（１）Ｊ’ＡＤＯＲＥ（Ｆｌｏｒａｌ）
（２）ＣＨＡＮＥＬ  Ｎｏ．５（Ｆｌｏｒａｌ）
（３）ＬＩＧＨＴ  ＢＬＵＥ（Ｗｏｏｄｙ）
（４）ＣＯＣＯ  ｍａｄｅｍｏｉｓｅｌｌｅ（Ｃｈｙｐｒｅ）
（５）ＡＮＧＥＬ（Ｏｒｉｅｎｔａｌ）【００５９】
＜評価方法＞
（色票）
一般財団法人日本色彩研究所が開発したＰＣＣＳと呼ばれる色彩調和を主な目的とした表色系から選択した。色相６種類（赤、橙、黄、緑、青、紫）、トーン（色調；明度と彩度の複合概念）５種類の３０色、無彩色６色および色の質感に関する第３の系統（金属色）である金銀をあわせた３８色を被選択色とした。ＰＣＣＳを採用し、色相とトーンの２次元配列上に選択色を配置することで、色の配置により香りを比較することが容易となり、香りの特徴も捉えやすくなる。
第１の系統としてａ＝６種類の色相（赤、橙、黄、緑、青、紫）と、第２の系統としてｂ＝５種類のトーン（ペール（ｐａｌｅ）、ライト（ｌｉｇｈｔ）、ビビッド（ｖｉｖｉｄ）、ディープ（ｄｅｅｐ）、ダーク（ｄａｒｋ））からなる３０種類の色票と、第３の系統としてｃ＝６種類の無彩色（白、４段階の灰、黒）およびｃ＝２種類の金属色（金、銀）の色票からなる、合計３８種類の色票の色票群を準備した。色相とトーンの２次元配列上に無彩色および金属色も配置した。これにより色の配置により香りを比較することがより容易となり、香りの特徴も捉えやすくなる。また、第１の系統と第２の系統は、形式的に決めたものである。必要に応じてトーンを第１の系統とし、色相を第２の系統として、色表現図を作成してもよい。
実施例１で用いた色票群の概略図を図１に示した。図１では、各色票に番号を振った。
図１中、
１１、２１、３１、４１および５１は、色相が赤である場合のペール、ライト、ビビッド、ディープおよびダークに対応する色票である；
１２、２２、３２、４２および５２は、色相が橙である場合のペール、ライト、ビビッド、ディープおよびダークに対応する色票である；
１３、２３、３３、４３および５３は、色相が黄である場合のペール、ライト、ビビッド、ディープおよびダークに対応する色票である；
１４、２４、３４、４４および５４は、色相が緑である場合のペール、ライト、ビビッド、ディープおよびダークに対応する色票である；
１５、２５、３５、４５および５５は、色相が青である場合のペール、ライト、ビビッド、ディープおよびダークに対応する色票である；
１６、２６、３６、４６および５６は、色相が紫である場合のペール、ライト、ビビッド、ディープおよびダークに対応する色票である；
６１〜６６は無彩色である場合の白、４段階の灰、黒に対応する色票である；
７１および７２は金属色である場合の金、銀に対応する色票である。【００６０】
（第１の段階）
被験者として、ｎ＝１８人を選び、各被験者が選択する色は２色とした。
１人の被験者に図１に示した色票群を示し、被験者が嗅いだ５種類の香りのイメージについて、それぞれに合致するｓ＝２種類の色票およびそれらの寄与率ｐ１およびｐ２（単位：％）を色票群より選択させた。所定の匂い評価用紙片に香水を一定量塗布して評価した。【００６１】
（第２の段階）
１人の被験者の選択した色票およびその寄与率をもとに、３８種類の色票群に対応する３８個の欄を有するピボットテーブルを作成し、各色票の選択された寄与率を各欄で求めた。【００６２】
（第３の段階）
残りの１７人の被験者についても、同様に第１の段階を行った。
第２の段階として被験者全員分について、３８種類の色票群に対応する３８個の欄を有するピボットテーブルを作成し、各色票の選択された寄与率の合計を各欄で求めた。
得られたピボットテーブル上の各色票の寄与率の合計を、被験者全員分の寄与率の合計（被験者数１８人×１００％＝１８００）で割り、各色票の選択比率に変換した。【００６３】
（各色票の選択比率を可視化した色表現図、色相を１次元上へ表示した色表現図、トーンを１次元上へ表示した色表現図）
各色票の選択比率を帯グラフ（１００％積み上げ横棒グラフ）とし、色票と同じ色を帯グラフの各要素に付して、各色票の選択比率を規格化せずに可視化した色表現図とした。図２６に、実施例１で被験者１８人が５種類の香水の香りのイメージを色で表現した、各色票の選択比率を規格化せずに可視化した色表現図を示した。
各色票の比率を第１の系統を「色相」として「色相」を含む範囲で集計し、色相を１次元上へ表示した色表現図とした。具体的には、横軸を色票群の第１の系統（色相）、無彩色および金属色を含む範囲とし、縦軸を（Ａ２）寄与率に対応する値の合計を比率に変換した値を、第１の系統の種類ごとにさらに合計した値としたグラフを作成した。得られた結果のうち、図２に、実施例１で被験者１８人がＪ’ＡＤＯＲＥの香りのイメージを色で表現した、色相を１次元上へ表示した色表現図を示した。
同様に、各色票の比率を第１の系統を「トーン」として「トーン」を含む範囲で集計し、トーンを１次元上へ表示した色表現図とした。具体的には、横軸を色票群の第１の系統（トーン）、無彩色および金属色を含む範囲とし、縦軸を（Ａ２）寄与率に対応する値の合計を比率に変換した値を、第１の系統の種類ごとにさらに合計した値としたグラフを作成した。図３に、実施例１で被験者１８人がＪ’ＡＤＯＲＥの香りのイメージを色で表現した、トーンを１次元上へ表示した色表現図を示した。
これらの色表現図では、色相やトーンなど、１種類の系統にフォーカスした香りの比較が可能となる。【００６４】
（色票群と同様の配列で各色が配列された色表現図の作成）
色票群と同様の配列で各色が配列された色配列表であり；色配列表の各色に対応する部分が色パレットを含み；（Ｂ２）色パレットが、各色の寄与率に対応する値の合計を比率に変換し、比率の所定の範囲ごとに規格化して決定された段数を有する、色表現図を作成した。
ピボットテーブルによる解析で求められた各色の選択比率より、色パレットの段数を決定した。本実施例では５％ごとに段数を区切り、０％を０段、０％以上５％未満を１段、５％以上１０％未満を２段、１０％以上１５％未満を３段、１５％以上２０％未満を４段、２０％以上を５段とした。
色票と同様に、縦軸に色相（赤、橙、黄、緑、青、紫）、横軸にトーン（ｐ：  ｐａｌｅ，  ｌｔ：  ｌｉｇｈｔ，  ｖ：  ｖｉｖｉｄ，  ｄｐ：ｄｅｅｐ，  ｄｋ：  ｄａｒｋ）を配置した。無彩色および金銀は図２のとおりに配置した。
各匂い素材について、求められた各色票の選択比率により色パレットの段数を決定し、結果を色表現図に図示した。
その内、図４に、実施例１で被験者１８人がＪ’ＡＤＯＲＥの香りのイメージを色で表現した、色票群と同様の配列で各色が配列された色表現図を示した。【００６５】
（花弁図の色表現図の作成）
色票群の第１の系統の種類ａに対応する辺を有するａ角形以上の多角形状のコア部を有する花弁図であって、多角形の第１の系統の種類ａに対応する各辺にほぼ平行な方向に、第１の系統に属するすべての色の色パレットが配列されており；各色パレットの段が、コア部の内部からの放射線の延長線上に向けて積まれて配列されており；各色の色パレットの段数が、各色の寄与率に対応する値の合計を比率に変換し、比率の所定の範囲ごとに規格化して決定された段数である、色表現図を作成した。
まず、花弁図の色パレットの段数として、色票群と同様の配列で各色が配列された色表現図の作成で決定した色パレットの段数を用いた。
次に、選択色をａ＝６種類の色相と、無彩色および金属色の合計８種類に分割した。そして、花弁図のコア部を正八角形状とし、正八角形の８つの辺をそれぞれ１種類ずつの色相（合計６辺）、無彩色（１辺）および金属色（１辺）に割り当てた。
正八角形の８つの辺にそれぞれ平行な方向に、各色相、無彩色および金属色にそれぞれ属するすべての色の色パレットを、トーンが暗い順番に積み上げて、表現した。
５種類の香水の花弁図の色表現図を、各香水の香調とあわせて、図５に示した。図５では、紙面上側から反時計周りに、無彩色、赤、橙（紙面左側）、黄、緑（紙面下側）、青、紫（紙面右側）、金属色の順に、各色パレットを積み上げてある。なお、他のコア部が八角形状の花弁図でも同様の順である。
図５を解析した結果を下記に示す。
（１）Ｊ’ＡＤＯＲＥ（Ｆｌｏｒａｌ）について、トーンはｌｉｇｈｔが中心であり、緑、青が特徴的な色相であった。
（２）ＣＨＡＮＥＬ  Ｎｏ．５（Ｆｌｏｒａｌ）について、トーンはｄａｒｋが中心であり、赤、橙、黄が特徴的な色相であった。
（３）ＬＩＧＨＴ  ＢＬＵＥ（Ｗｏｏｄｙ）について、最も明るいトーンが選ばれた香水であった。ｌｉｇｈｔトーンが中心で、ｄａｒｋトーンは全く選ばれなかった。色相は黄と青が中心で無彩色は全く選択されなかった。比較的、色相は均等に選択されトーンに偏りのある香水であった。
（４）ＣＯＣＯ  ｍａｄｅｍｏｉｓｅｌｌｅ（Ｃｈｙｐｒｅ）について、花弁図（ＡＲＴ−Ｆｌｏｗｅｒ）を比較するとＬＩＧＨＴ  ＢＬＵＥと似ているが、ややトーンが暗めであり、色相も緑系の選択比率がかなり高かった。
（５）ＡＮＧＥＬ（Ｏｒｉｅｎｔａｌ）について、ＬＩＧＨＴ  ＢＬＵＥと対照的に選択される色のトーンに偏りはない一方で、色相は赤、橙、紫にほぼ集中し、黄や緑系の色は選択されなかった。【００６６】
［実施例２］
＜被験者の人数による影響：５人＞
被験者の人数を５人に変更し、実施例１と同様の評価を行い、花弁図の色表現図を作成した。
得られた花弁図の色表現図を、図６の紙面上側の１段目に示した。図６の１段目では、花弁図のコア部に匂い素材の名称および被験者の人数（５人）を示した。【００６７】
［実施例３］
＜被験者の人数による影響：１２人＞
被験者の人数を１２人に変更し、実施例１と同様の評価を行い、花弁図の色表現図を作成した。
得られた花弁図の色表現図を、図６の紙面上側の２段目に示した。図６の２段目では、花弁図のコア部に匂い素材の人称および被験者の人数（１２人）を示した。
図６より、被験者の人数が５人の場合の花弁図と被験者の人数が１２人の場合の花弁図とのパターン類似率、および、被験者の人数が５人の場合の花弁図と被験者の人数が１８人の場合の花弁図とのパターン類似率はある程度高く、匂い素材の種類に対応する傾向がはっきりと示されていたことがわかった。したがって、本発明のイメージを色で表現する方法は、被験者の人数が少ない（１０人未満、例えば５人）場合であっても、香りのイメージの可視化を再現性が高く、他人と直観的に共有できるようにイメージを可視化できることがわかった。特に、被験者が寄与率を含めて２色以上を選択する本発明のイメージを色で表現する方法の方が、被験者が１色を選択する特開２００７−４７５０３号公報に記載の方法よりも、被験者の人数が少ない場合であっても、香りのイメージの可視化を再現性が高く、他人と直観的に共有できるようにイメージを可視化できる（被験者の人数が多くより客観的である場合とのパターン類似率が高くなる）と考えられる。また、被験者の主観（ピンクが強いが、少し黒のイメージも混じっている、といった悩み）を寄与率で反映できるという利点もある。
さらに、被験者の人数が１２人の場合の花弁図と被験者の人数が１８人の場合の花弁図とのパターン類似率が実施例１〜３の中では最も高いことがわかった。そのため、被験者の人数を１０人以上とすることが、より香りのイメージの可視化を再現性が高く、他人と直観的に共有できるようにイメージを可視化できる観点から、好ましいことがわかった。
なお、パターン類似率は、後述の実施例に記載の方法で測定できる。【００６８】
［実施例４］
＜文字のイメージの可視化＞
（文字）
ＰＣＣＳ表色系において、ふさわしい色のトーンが設定されている下記（Ａ）〜（Ｆ）の文字を選択した。
（Ａ）ホワイト（明るい）：清潔な
（Ｂ）ペールおよびライト（明るい）：女性的、やさしい、かわいい、透明感のある、さわやかな、健康的な、陽気な
（Ｃ）ビビッド（鮮やかな）：派手な
（Ｄ）グレイ（中間のトーン）：おだやかな、柔らかな、落ち着いた、渋い
（Ｅ）ディープおよびダーク（暗い）：円熟した、大人っぽい、男性的、
（Ｆ）ブラック（暗い）：高級な、フォーマルな、おしゃれな
さらに、下記（Ｇ）その他の言葉を選択した。
（Ｇ）みずみずしい、凛とした、ナチュラルな、心地よい、気分があがりそう、上品な、まろやかな、シャープな、甘い、繊細な、華やかな
以上のトーン（色調；明度と彩度の複合概念）に関する言葉１９語、および、その他の言葉１１語をあわせた３０語を用い、それぞれの文字のイメージの可視化を行った。【００６９】
用いた色票は、実施例１と同じとした。
被験者が匂い素材を嗅いだ香りのイメージの代わりに、見た文字のイメージに合致するｓ＝２種類の色票およびそれらの寄与率（単位：％）を色票群より選択させた以外は実施例１と同様にして、花弁図の色表現図を作成した。
図７に、「華やかな」の文字のイメージを色で表現した花弁図の色表現図を示した。【００７０】
［参考例１］
＜文字のイメージの可視化＞
実施例４において、被験者が見た文字のイメージに合致する５種類以内の色票を、寄与率を考慮せずに（すなわち、例えば、５種類の色票を選択した場合は寄与率を強制的に２０％ずつに固定して。４種類の色票を選択した場合は寄与率を強制的に２５％ずつに固定して）選択させた以外は実施例４と同様にして、花弁図の色表現図を作成した。
「華やかな」の文字以外の２９語について、図８〜１５に、実施例４および参考例１で用いた文字のイメージを色で表現した花弁図の色表現図を示した。図８〜１５中、「２色＋寄与率」と記載されたものが実施例４で被験者が見た文字のイメージに合致するｓ＝２種類の色票およびそれらの寄与率（単位：％）を色票群より選択した結果の花弁図の色表現図である。図８〜１５中、「５色」と記載されたものが参考例１で被験者が見た文字のイメージに合致する５種類以内の色票を、寄与率を考慮せずに選択した結果の花弁図の色表現図である（すなわち、例えば、５種類の色票を選択した場合は寄与率を強制的に２０％ずつに固定した。４種類の色票を選択した場合は寄与率を強制的に２５％ずつに固定した）。
図８〜１５より、２種類の色票を寄与率を考慮して選択した場合の花弁図と５種類以内の色票を寄与率を考慮せず選択した場合の花弁図とのパターン類似率はある程度高く、文字の種類に対応する傾向がはっきりと示されていたことがわかった。したがって、本発明のイメージを色で表現する方法は、色票の選択時に寄与率を考慮するため、選択する色票の数が少ない（２種類）場合であっても、より多く（最大５種類）の色票を寄与率を考慮せずに選択した場合と概ね同程度のレベルで、再現性が高く、他人と直観的に共有できるようにイメージを可視化できることがわかった。また、寄与率も計算することにより、少ない被験者の人数で香りの特徴を色で表現できるという利点もある。また、被験者の主観（ほとんどピンクで、少し黒、３色目は感じないが挙げるならば緑、といった悩み。１色をよりよく表現するために混色して表現しようとする被験者もいる）を寄与率で反映できるという利点もある。そのため、本発明のイメージを色で表現する方法は、被験者の負担が少ない。
なお、パターン類似率は、後述の実施例に記載の方法で測定できる。【００７１】
［実施例５］
＜パターン類似率の評価：文字のイメージ間＞
実施例４で求めた「かわいい」、「女性的」および「大人っぽい」の３種類の文字のイメージについて、パターン類似率を評価した。
下記表１に実施例４で求めた「かわいい」、「女性的」および「大人っぽい」の３種類の文字の各色票の選択割合と、３８種類の各色票の選択割合を３８成分としたベクトルの大きさ、「女性的」または「大人っぽい」についての「かわいい」とのベクトル内積および「かわいい」とのパターン類似率をまとめた。下記表１中、色票は、実施例１で振った番号で表してある。【００７２】
【表１】
2018207595.tif 000011
【００７３】
上記表１より、「かわいい」と「女性的」はパターン類似率ｃｏｓθが０．８７であり、似ていることがわかった。
一方、「かわいい」と「大人っぽい」はパターン類似率ｃｏｓθが０．００であり、全く似ていないことがわかった。
得られた結果を、図１６にまとめた。図１６より、本発明のイメージの類似性の評価方法は、直観的な花弁図の色表現図どうしの類似の判断と整合し、かつ数値化できることがわかった。【００７４】
［実施例６］
＜パターン類似率の評価：香りのイメージと文字のイメージ間＞
実施例１で得られた５種類の香水の香りのイメージと、実施例４で得られた３０語の文字のイメージ間のパターン類似率を評価した。
具体的には、実施例１で得られた５種類の香水の香りのイメージについて、それぞれの香りのイメージとのパターン類似率ｃｏｓθを上述の方法で計算し、パターン類似率ｃｏｓθが高い文字のイメージ上位５語を決定した。
得られた結果を図１７〜２１にまとめた。
また、得られた結果から、各香水の香りのイメージは、以下の文字のイメージとパターン類似率が高いことが分かった。
（１）Ｊ’ＡＤＯＲＥ（Ｆｌｏｒａｌ）：「さわやかな」、「清潔な」、「みずみずしい」、「心地よい」、「ナチュラルな」。
（２）ＣＨＡＮＥＬ  Ｎｏ．５（Ｆｌｏｒａｌ）：「渋い」、「円熟した」、「大人っぽい」、「甘い」、「上品な」。
（３）ＬＩＧＨＴ  ＢＬＵＥ（Ｗｏｏｄｙ）：「まろやかな」、「やさしい」、「繊細な」、「柔らかな」、「さわやかな」。
（４）ＣＯＣＯ  ｍａｄｅｍｏｉｓｅｌｌｅ（Ｃｈｙｐｒｅ）：「さわやかな」、「健康的な」、「心地よい」、「みずみずしい」、「ナチュラルな」。
（５）ＡＮＧＥＬ（Ｏｒｉｅｎｔａｌ）：「華やかな」、「派手な」、「凛とした」、「おしゃれな」、「上品な」。
以上より、本発明のイメージの類似性の評価方法を用いることにより、香りのイメージと文字のイメージを関連付けできることがわかった。
なお、本実施例とは別に、９種類の香水の香りのイメージとハングルで記載された韓国語の文字のイメージ間のパターン類似率を評価した場合も、各香水の香りのイメージと文字のイメージとのパターン類似率の高さの関係を求めることができた。【００７５】
［実施例７］
＜人物のイメージの可視化＞
（人物）
下記の人物の氏名を選択した。
（１人目）桑田佳祐
（２人目）浅田真央
（３人目）錦織圭
（４人目）米倉涼子
以上の４人の人物の氏名（漢字）を用い、それぞれの人物（氏名）のイメージの可視化を行った。【００７６】
用いた色票は、実施例１と同じとした。
被験者が匂い素材を嗅いだ香りのイメージの代わりに、見た人物（氏名）のイメージに合致するｓ＝２種類の色票およびそれらの寄与率（単位：％）を色票群より選択させた以外は実施例１と同様にして、花弁図の色表現図を作成した。
図２２に、人物（氏名）のイメージを色で表現した花弁図の色表現図を示した。
図２２より、本発明のイメージを色で表現する方法は、被験者の負担が少なく、再現性が高く、他人と直観的に共有できるように人物のイメージの可視化をできることがわかった。【００７７】
［実施例８］
＜相関係数の評価：香りのイメージ間を比較＞
実施例１で求めたＪ’ＡＤＯＲＥの香りのイメージとＣＨＡＮＥＬ  Ｎｏ．５の香りのイメージ間の相関係数、および、Ｊ’ＡＤＯＲＥの香りのイメージとＣＯＣＯ  ｍａｄｅｍｏｉｓｅｌｌｅの香りのイメージ間の相関係数を評価した。
下記表２に、Ｊ’ＡＤＯＲＥ、ＣＨＡＮＥＬ  Ｎｏ．５およびＣＯＣＯ  ｍａｄｅｍｏｉｓｅｌｌｅについて、各色票の番号の寄与率、（全色票の）寄与率の合計、平均および標準偏差を示した。色票は、実施例１で振った番号で表してある。被験者の人数が１８人の結果であるため、各香水の寄与率の合計は１８００（％）となる。各香水の寄与率の平均および標準偏差を求めた。【００７８】
【表２】
2018207595.tif 000012
【００７９】
横軸をＪ’ＡＤＯＲＥ、縦軸をＣＨＡＮＥＬ  Ｎｏ．５にして各色票の番号の寄与率の合計の値で散布図を作成した。上記表２に記載の平均および標準偏差を用いて、最小二乗法により近似直線を作成し、相関係数を求めた。得られた結果を図２４（Ａ）に示した。図２４（Ａ）より、相関係数の二乗値Ｒ２＝０．０３２と計算された。
横軸をＪ’ＡＤＯＲＥ、縦軸をＣＯＣＯ  ｍａｄｅｍｏｉｓｅｌｌｅにして各色票の番号の寄与率の合計の値で散布図を作成した。上記表２に記載の平均および標準偏差を用いて、最小二乗法により近似直線を作成し、相関係数を求めた。得られた結果を図２４（Ｂ）に示した。図２４（Ｂ）より、相関係数の二乗値Ｒ２＝０．４１６７と計算された。
なお、近似曲線の傾きによりＲの正負が決定でき、相関係数の二乗値Ｒ２の値と近似曲線の傾きから相関係数Ｒを求められる。【００８０】
［実施例９］
＜相関係数の評価：香りと文字のイメージ間を比較＞
実施例１で求めた５種類の香りのイメージ、ならびに、実施例４で求めた「気分があがりそう」、「陽気な」、「華やかな」および「健康的な」の文字のイメージのうち２種類のイメージ間の相関係数を評価した。
下記表３に、各イメージについて、各色票の番号の寄与率を示した。色票は、実施例１で振った番号で表してある。
実施例８と同様にして、下記表３の結果から各イメージの寄与率の平均および標準偏差を求め、相関係数Ｒを計算した。得られた結果を下記表４に示した。【００８１】
【表３】
2018207595.tif 000013
【００８２】
【表４】
2018207595.tif 000014
【００８３】
［実施例１０］
＜相関係数の評価：香りと文字のイメージ間を比較＞
実施例９において、色票の番号の寄与率の代わりに、色相ごとの寄与率およびトーンごとの寄与率を用いて、相関係数を求めた。
色相はそれぞれ以下の色票の番号とし、以下の色票の番号の寄与率の合計をそれぞれの色相の寄与率として求めた。
赤；１１、２１、３１、４１および５１
橙；１２、２２、３２、４２および５２
黄；１３、２３、３３、４３および５３
緑；１４、２４、３４、４４および５４
青；１５、２５、３５、４５および５５
紫；１６、２６、３６、４６および５６
白；６１
灰；６２、６３、６４、６５
黒；６６
金；７１、銀；７２
トーンはそれぞれ以下の色票の番号とし、以下の色票の番号の寄与率の合計をそれぞれの色相の寄与率として求めた。
ｐａｌｅ  ；１１、１２、１３、１４、１５、１６
ｌｉｇｈｔ；２１、２２、２３、２４、２５、２６
ｖｉｖｉｄ；３１、３２、３３、３４、３５、３６
ｄｅｅｐ  ；４１、４２、４３、４４、４５、４６
ｄａｒｋ  ；５１、５２、５３、５４、５５、５６
下記表５に、各イメージについて、色相ごとの寄与率およびトーンごとの寄与率を示した。色票は、実施例１で振った番号で表してある。
上記は類似度を評価する際における色番号のまとまりの一例である。
無彩色  ６１，６２，６３，６４，６５，６６
金属色  ７１，７２
として評価してもよい。
その他、暖色、寒色、中性色など色彩理論に基づいた分類により相関係数、パターン類似度を求めることも可能である。【００８４】
【表５】
2018207595.tif 000015
【００８５】
実施例８と同様にして、上記表５の結果から各イメージの寄与率の平均および標準偏差を求め、色相ごとの寄与率を用いた場合の相関係数Ｒ、トーンごとの寄与率を用いた場合の相関係数Ｒをそれぞれ計算した。さらに、色相ごとの寄与率およびトーンごとの寄与率の各相関係数Ｒを乗じた値（表６色相×トーン）を求めた。
得られた結果のうち、「気分があがりそう」、「陽気な」、「華やかな」および「健康的な」の文字のイメージについて、上記表４の抜粋（色票の番号の寄与率を用いた場合の相関係数Ｒ）とあわせて、下記表６に示した。【００８６】
【表６】
2018207595.tif 000016
【００８７】
一方、図２５に示した「気分があがりそう」、「陽気な」、「華やかな」および「健康的な」の文字のイメージに関する花弁図である色表現図をもとに、主観的に見た目で類似している順番を、官能的に評価した。
その結果、「気分があがりそう」の文字のイメージに関する花弁図と「陽気な」の文字のイメージに関する花弁図は非常に似ている；「気分があがりそう」の文字のイメージに関する花弁図と「華やかな」の文字のイメージに関する花弁図は少し類似している；「気分があがりそう」の文字のイメージに関する花弁図と「健康的な」の文字のイメージに関する花弁図はあまり類似していない；との評価であった。【００８８】
上記表６から、色相ごとの寄与率およびトーンごとの寄与率の各相関係数Ｒを乗じた値（表６  色相×トーン）の方が、色票の番号の寄与率を用いた場合の相関係数Ｒよりも、主観的に見た目で類似している順番を官能的に評価した結果と類似していることがわかった。具体的には、色相ごとの寄与率およびトーンごとの寄与率の両方を用いた場合、「気分があがりそう」と「陽気な」の相関係数Ｒが０．９９と非常に高く、「気分があがりそう」と「華やかな」の相関係数Ｒが０．７５と少し低く、「気分があがりそう」と「健康的な」の相関係数Ｒが０．６８と有意に低かった。
【産業上の利用可能性】
【００８９】
本発明によれば、言葉を使用することなく、香り、文字および人物などのイメージを色で表現でき、さらにその色の特徴を色表現図で表現できる。色表現図の情報は、伝達、管理および保存が容易な情報であるため、複数のイメージどうしの特徴を対比することなどができる。
本発明は、特にフレグランスまたはフレーバーを用いた商品の開発において、商品の香り、文字および人物などのイメージの評価を共有化し、イメージの変更において双方向に利用でき、これに適したパッケージデザインや、宣伝広告を製作する際の、色選び、配色にも利用できる。
【図１】
2018207595.tif 000017
【図２】
2018207595.tif 000018
【図３】
2018207595.tif 000019
【図４】
2018207595.tif 000020
【図５】
2018207595.tif 000021
【図６】
2018207595.tif 000022
【図７】
2018207595.tif 000023
【図８】
2018207595.tif 000024
【図９】
2018207595.tif 000025
【図１０】
2018207595.tif 000026
【図１１】
2018207595.tif 000027
【図１２】
2018207595.tif 000028
【図１３】
2018207595.tif 000029
【図１４】
2018207595.tif 000030
【図１５】
2018207595.tif 000031
【図１６】
2018207595.tif 000032
【図１７】
2018207595.tif 000033
【図１８】
2018207595.tif 000034
【図１９】
2018207595.tif 000035
【図２０】
2018207595.tif 000036
【図２１】
2018207595.tif 000037
【図２２】
2018207595.tif 000038
【図２３】
2018207595.tif 000039
【図２４】
2018207595.tif 000040
【図２５】
2018207595.tif 000041
【図２６】
2018207595.tif 000042
【国際調査報告】
2018207595.tif 000043
2018207595.tif 000044
2018207595.tif 000045
2018207595.tif 000046